(57)【要約】      （修正有）【課題】人力の浪費を最小にした状況で、杖の発電時間を増加させた杖の省力発電装置を提供する。【解決手段】杖の省力発電装置は、内部中空の把手中に発電装置、充電回路を備える回路基板を設け、該把手外側に揺動柄を設け、揺動柄の回転は発電装置を駆動し、充電回路に対して充電を行うことができる。この発電装置は、発電モータ、揺動柄により連動されることができるギア組、発電モータの主軸とギア組の出力端との間に介在するクラッチ、発電モータの主軸と連動するフライホイールを含む。揺動柄は、ギア組を連動し、クラッチを介して発電モータの主軸を回転し、発電を行い、フライホイールにエネルギーを蓄積させることができる。揺動柄の転動を停止した後、クラッチは、モータ主軸とギア組間の連動関係を切断し、フライホイールに慣性で発電モータを連動し発電を持続させ、効率的に人力操作の時間を節約させる。【選択図】図３
0003144061.tif 000002
【実用新案登録請求の範囲】
【請求項１】
中空の杖把手と、
把手外側に設置する揺動柄と、
充電回路を有し、把手中に取り付ける回路基板と、
把手中に取り付け、主軸を有する発電モータと、回転数を増加させるギア組と、発電モータの主軸とギア組の出力端の間に介在するクラッチと、発電モータの主軸と連動するフライホイールから組成される発電装置と、
を含み、揺動柄にギア組の回転を回転的に駆動させ、クラッチを介して発電モータを連動し、充電回路に対して充電を行い、フライホイールにエネルギーを蓄積させることができ、揺動柄の転動を停止した後、そのクラッチがモータ主軸と速度を上げるギア組との間の連動関係を切断し、フライホイールが慣性で発電モータを連動し発電を持続させる杖の省力発電装置。
【請求項２】
把手に照明装置、点滅警示装置、振動マッサージ装置、を取り付け、充電回路に証明装置、点滅警示装置、振動マッサージ装置に電力を提供させる請求項１記載の杖の省力発電装置。
【請求項３】
前記把手中に主同軸、副軸を同心で横跨するようにピン接合し、把手中にさらに、仲介軸を横跨し、仲介軸は、主動軸及び副軸に相互に平行であり、
ギア組は、把手中に主同軸と連動する主ギアを設け、仲介軸は、第１双層平ギアをピン接合し、該第１双層平ギアの小ギアは、主ギアと噛み合い、副軸は、第２双層平ギアをピン接合し、該第２双層平ギアの小ギアは、第１双層平ギアの大ギアと噛み合い、また、仲介軸は、第３双層平ギアをピン接合し、第３双層平ギアの小ギアは、第２双層平ギアの大ギアと噛み合い、系列的に回転数を増大するギア組を構成し、揺動柄がギア組を介してクラッチ及び発電モータの主軸を、回転数を増大して駆動できる請求項１または２記載の杖の省力発電装置。
【請求項４】
前記把手中、更に移動軸を横跨し、移動軸が仲介軸と相互に平行であり、且つ移動軸が、把手が設置する振動槽中に制限的に変位し、
発電モータは、回転して発電を行うことができる主軸を有し、該主軸は、移動軸と平行し、且つ自由端に伝動ギアを取り付けてなり、
クラッチは、移動軸にクラッチギアを設置し、該クラッチギアは、伝動ギア、第３双層平ギアの大ギアに仲介的に噛み合うことができ、ギア組の出力端の第３双層平ギアの大ギアにクラッチギアを回転的に駆動させることができ、且つ移動軸を連動し振動槽に沿って移動する作用力を発生させ、クラッチギアを伝動ギアと噛み合わせ、同一ステップで回転させ、揺動柄の外力が消失した後、伝動ギアがクラッチギアを押し開き、主軸と伝動ギアにフライホイールの慣性力による空回りを一定時間持続させ、発電モータに発電を持続させることができる請求項３記載の杖の省力発電装置。
【請求項５】
前記移動軸と仲介軸の間が接続ロッドで接合される請求項４記載の杖の省力発電装置。
【請求項６】
前記把手の一側に収容槽を凹設し、該収容槽は、揺動柄に対応し、揺動柄の一端に回転グリップをピン接合し、他端は挿入ピンで主動軸に接合し、揺動柄が収容槽の展開から離脱でき、回転グリップを駆動し、主動軸を中心の回りを回転するよう操作できる請求項３記載の杖の省力発電装置。
【考案の詳細な説明】
【技術分野】
【０００１】
本考案は、杖の省力発電装置に関し、特に、労力の消費が最も小さい状況で、杖の発電持続時間を増加する斬新な技術に関する。
【背景技術】
【０００２】
現在、良く見られる固定または伸縮式の杖は、把手に照明装置、点滅警示装置、ブザーオーディオ装置またはその他の装置を取り付けることができ、各種の杖の形態は、使用状況及び用途に応じて構造上に独特の機能を設計し、使用者の実際の需要に応じるため、電力を要する設計は、大部分が電池を使用しているが、ある使用状態では、これら電池によるエネルギー供給の設計は、使用者の需要を満足することができず、例えば、電池の蓄積量は有限であり、絶え間なく交換しなければならず、使用者が登山等に行き、電池を随時交換できない時、該杖の照明装置、点滅警示装置、ブザーオーディオ装置が動作できず、このように、実際の要求に適合できないことが明らかであり、不便を有するので、需要に応じて、時間を節約して手を振動により発電、充電を行う設計を如何に提供するかは、多くの使用者が欲する所である。
【特許文献１】特開２００１−３５３１９４号公報
【考案の開示】
【考案が解決しようとする課題】
【０００３】
現有の杖設計がいずれも時間を節約しつつ手の振動により発電及び充電を行う機能に欠乏していることに鑑み、試作、研究を重ね、本考案の発生に至るものである。
【課題を解決するための手段】
【０００４】
本考案の内容は、中空の杖把手と、
把手外側に設置する揺動柄と、
充電回路を有し、把手中に取り付ける回路基板と、
把手中に取り付け、主軸を有する発電モータと、回転数を増加させるギア組と、発電モータの主軸とギア組の出力端の間に介在するクラッチと、発電モータの主軸と連動するフライホイールから組成される発電装置と、
を含み、揺動柄にギア組の回転を回転的に駆動させることができ、クラッチを介して発電モータの主軸を連動しフライホイールにエネルギー蓄積作用をさせ、発電モータが電流を発生し、充電回路に対してエネルギーを供給し、揺動柄の転動を停止した後、そのクラッチがモータ主軸と速度を上げるギア組との間の連動関係を切断し、フライホイールが慣性で発電モータを連動し発電を持続させ、人力が充電の操作を持続する時間を効率的に節約し、使用者との適合性を更に向上し、従来の杖が随時発電及び充電できない各種の面倒と不便を解消する杖の省力発電装置を提供することにある。
【考案の効果】
【０００５】
本発明の杖の省力発電装置は、揺動柄にギア組の回転を回転的に駆動させることができ、クラッチを介して発電モータの主軸を連動しフライホイールにエネルギー蓄積作用をさせ、発電モータが電流を発生し、充電回路に対してエネルギーを供給し、揺動柄の転動を停止した後、そのクラッチがモータ主軸と速度を上げるギア組との間の連動関係を切断し、フライホイールが慣性で発電モータを連動し発電を持続させ、人力が充電の操作を持続する時間を効率的に節約し、使用者との適合性を更に向上し、従来の杖が随時発電及び充電できない各種の面倒と不便を解消する。
【考案を実施するための最良の形態】
【０００６】
本考案の構造、特徴およびその他の目的をより理解させる為、好適な実施例の図面を併せて詳細に説明する。
【０００７】
中空の杖把手１０は、２つの殻体が左右に対応してなり、該把手１０は、一側に収納溝１１を凹設し、収納溝１１の一端に同心ピン接合する主動軸１２、副軸１３を設置し、該主動軸１２、副軸１３は、把手１０中に横跨され、把手１０中に更に仲介軸１４、移動軸１５を横跨し、仲介軸１４、移動軸１５は、主動軸１２、副軸１３と相互に平行であり、且つ移動軸１５が、把手１０が設置される弧形振動槽１６中で変位を制限されるようにする。把手１０は、照明装置１６、点滅警示装置１８、振動マッサージ装置（図示せず）を取り付けてなるが、該把手１０は、その他のエネルギー供給装置を取り付けることもできる。
【０００８】
揺動柄２０は、その一端に回転グリップ２１をピン接合し、該揺動柄２０に回転グリップ２１を連動させ収容槽１１中に係合させ、揺動柄２０の他端は、挿入ピン２２により主動軸１２に接合し、図４に示すように、揺動柄２０に収容溝１１の展開から離脱し、使用者が回転グリップ２１を駆動して主動軸１２に中心を囲うような自転を動作させることができる。
【０００９】
把手１０中に取り付ける回路基板（図示せず）は、充電回路を有し、該受電回路は、照明装置１７、点滅警示装置１８、振動マッサージ装置に電力を提供する。
【００１０】
把手１０中に取り付ける発電装置は、発電モータ３０、ギア組４０、クラッチ５０およびフライホイール５０から組成される。前記の発電モータ３０は、把手１０中に固定され、充電回路に対して充電を行い、照明装置１７、点滅警示装置１８、振動マッサージ装置を持続させる電力を提供し、発電モータ３０は、発電を行う回転をすることができる主軸３１を有し、該主軸３１は、移動軸１５と平行し、且つ自由端に伝動ギア３２を取り付けてなる。ギア組４０は、把手１０中に主動軸１２と連動する手ギア４１を設け、仲介軸１４は、第１双層平ギア４２をピン接合し、該第１双層平ギア４２の小ギアは、主ギア４１と噛み合い、副軸１３は、第２双層平ギア４３をピン接合し、該第２双層平ギア４３の小ギアは、第１双層平ギア４２の大ギアと噛み合い、また、仲介軸１４は、第３双層平ギア４４をピン接合し、第３双層平ギア４４の小ギアは、第２双層平ギア４３の大ギアと噛み合い、系列的に回転数を増大するギア組４０を構成する。クラッチは、移動軸１５にクラッチギア５０を設置し、該クラッチギア５０は、仲介できる伝動ギア３２、第３双層平ギア４４を噛み合う大ギアであり、揺動柄２０にギア組４０を連動させて伝動ギア３２を、回転数を増大させるように伝動ギア３２を駆動させ、発電モータ３０に比較的多くの回転数を発生させ、発電効率を向上する。フライホイール６０は、把手１０中に取り付け、発電モータ２０の主軸２１と同心で連接する。
【００１１】
上記の構造の説明から分かるように、本考案の揺動柄２０は、ギア組４０を回転的に駆動し、回転数を増加し、クラッチを介して発電モータ３０の主軸３１とフライホイール６０を連動してエネルギーを蓄積し、発電モータ３０に電流を発生させ、受電回路に対して作用させ、照明装置１７、点滅警示装置１８、振動マッサージ装置を駆動する。揺動柄２０の転動を停止した後、クラッチは、発電モータ３０の主軸と増速ギア組４０の間の連動関係を切断し、フライホイール６０に慣性で発電モータ３０を連動し発電を持続させ、人力が発電操作を持続する時間を効率的に節約し、更に、使用者との適合性を向上させ、従来の杖が随時発電できない各種の面倒と不便を解消する。
【００１２】
図３〜図６に示すように、本考案の移動軸１５の両端は、振動槽１６が形成する軌道中で変位でき、変位が安定し精確であるために、移動軸１５と仲介軸１４の間に接続ロッド５１を接合することができる。従って、揺動柄２０は、ギア組４０を駆動し、ギア組の出力端の第３双層平ギア４４の大ギアにクラッチギア５０を回転的に駆動させ、且つ移動軸１５を連動し振動槽１６に沿って上向きに移動させる作用力を発生し、該ギアクラッチ５０と発電モータ３０の伝動ギア３２を噛み合わせて同一ステップで回転させ、必要な発電機能を達成する。作用が揺動柄２０の外力を消失した後、第３双層平ギア４４は、回転を停止し、クラッチギア５０に対して発生する上向き作用力も併せて消失するが、伝動ギア３２は依然としてフライホイール６０の慣性作用の下、回転を持続し、その回転の過程中、クラッチギア５０を推進し、移動軸１５を連動し振動槽１６に沿って下向きに移動する作用力を発生し、クラッチギア５０に伝動ギア３２を離脱させ、主軸３１と伝動ギア３２にフライホイール６０の慣性力による空回りを一定時間持続させることができ、効率的に人力が操作する時間を節約できる。
【００１３】
上記のように、本考案は、人力の浪費を最小にした状況で、杖の発電時間を増加し、且つ全体の構造が新規であり、技術理念上の高度な創作である。なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【図面の簡単な説明】
【００１４】
【図１】本考案の杖の立体外観説明図である。
【図２】本考案の把手の別方向の局部拡大図である。
【図３】本考案の揺動柄の折りたたみ時の断面図である。
【図４】本考案の揺動柄の展開時の断面図である。
【図５】本考案のクラッチギアと伝動ギアの噛み合い回転の説明図である。
【図６】本考案の伝動ギアがフライホイールにより連動回転される説明図である。
【符号の説明】
【００１５】
１０  把手
１１  収納槽
１２  主動軸
１３  副軸
１４  仲介軸
１５  移動軸
１６  振動軸
１７  照明装置
１８  点滅警示装置
２０  揺動柄
２１  回転グリップ
２２  挿入ピン
３０  発電モータ
３１  主軸
３２  伝動ギア
４０  ギア組
４１  主ギア
４２  第１双層平ギア
４３  第２双層平ギア
４４  第３双層平ギア
５０  クラッチギア
５１  接続ロッド
６０  フライホイール
【図１】
0003144061.tif 000003
【図２】
0003144061.tif 000004
【図３】
0003144061.tif 000005
【図４】
0003144061.tif 000006
【図５】
0003144061.tif 000007
【図６】
0003144061.tif 000008